(57)【要約】
【課題】新聞（古新聞）や雑誌（古雑誌）を載置した載置台が回動台に連動して回動することにより、結束作業者が動き回ることなく、結束用具を回動させてスムーズに結束作業ができる新聞、雑誌類の結束用具を提供する。
【解決手段】方形板状の基台２の上面に回動手段４を連結し、さらに回動手段の上面に方形板状の回動台３を連結し、回動台３の上面側辺上には、開口部５ａを有する側板５を立設し、側板５の上端には、十文字のスリット６ａが形成された方形板状の載置台６を固着する。
【選択図】図１
0003100038.tif 000002
【実用新案登録請求の範囲】
【請求項１】
　新聞、雑誌類を載置して紐などで束ねるための新聞、雑誌類の結束用具であって、
上面に回動手段が連結された板状の基台と、
該基台と略平行に回動自在となるように下面が前記回動手段に連結された方形板状の回動台と、
該回動台上面の側辺部に立設され、上方に向かうほど狭くなるように形成された開口部を有する側板と、
該側板の上端面に、端部が前記開口部上端部と連通するように形成された略十文字状のスリットを有し、新聞や雑誌類が載置可能な大きさに形成された載置台とを備えたことを特徴とする新聞、雑誌類の結束用具。
【請求項２】
　請求項１記載の新聞、雑誌類の結束用具において、回動台が回動の途中で所定の位置に一旦停止可能なように形成されたことを特徴とする新聞、雑誌類の結束用具。
【考案の詳細な説明】
【技術分野】
【０００１】
　本考案は、新聞、雑誌類を積重ねて載置して紐などで束ねるための新聞、雑誌類の結束用具に関するものである。
【背景技術】
【０００２】
　従来、四つ折した古新聞、古雑誌などを一旦収納箱に収納し、一定量になると紐などで適量を結束して回収業者に引き渡すなどしている。この古新聞や古雑誌を結束する作業は、結束用の紐などを、積重ねた古新聞や古雑誌の上部及び下部で十文字に交差させて緊結する必要があり、このため、重くて嵩張る古新聞や古雑誌を左右にあるいは上下に向きを変えたりしなければならず、非常に面倒であるという問題があった。
【０００３】
　そこで、この問題を解決するために、矩形状の基台の面上に、結束用の紐の通路となる溝とこの溝の高さと近似の高さでなる受台を設けて、この受台の表面に直立するガードを係合可能なスリットを開口して、各隅に設けた受台に一体化することにより、古新聞や古雑誌を収納したまま結束できる古新聞ストッカーがある。（例えば、特許文献１。）。
【０００４】
　しかし、上記特許文献１の技術では、古新聞や古雑誌を結束する際には、紐を通し板を使用して古新聞ストッカーの下部に形成された十文字の溝を通す必要があるが、この溝の上面は積重ねられた古新聞や古雑誌で視認できないため、紐あるいは通し板が、先に通された紐に引っ掛かりスムーズに紐を通すことができない場合がある。また、この古新聞ストッカーは回転しないため、十文字に紐を通すためには、作業者自身が古新聞ストッカーの周囲を動き回ったり、あるいは、古新聞が積重ねられて重くなったストッカーを持上げて回転させたりする必要があり、非常に面倒であるという問題があった。
【特許文献１】実登第３０６５９９８号公報
【考案の開示】
【考案が解決しようとする課題】
【０００５】
　解決しようとする問題点は、古新聞や古雑誌の結束作業がスムーズにできず、非常に面倒な点である。
【課題を解決するための手段】
【０００６】
　このため、本考案は、新聞、雑誌類を載置して紐などで束ねるための新聞、雑誌類の結束用具であって、上面に回動手段が連結された板状の基台と、該基台と略平行に回動自在となるように下面が前記回動手段に連結された方形板状の回動台と、該回動台上面の側辺部に立設され、上方に向かうほど狭くなるように形成された開口部を有する側板と、該側板の上端面に、端部が前記開口部上端部と連通するように形成された略十文字状のスリットを有し、新聞や雑誌類が載置可能な大きさに形成された載置台とを備えたことを第１の特徴とする。
【０００７】
　また、請求項１記載の新聞、雑誌類の結束用具において、回動台が回動の途中で所定の位置に一旦停止可能なように形成されたことを第２の特徴とする。
【考案の効果】
【０００８】
　本考案の新聞、雑誌類の結束用具は、四つ折した新聞（古新聞）、雑誌（古雑誌）などを載置した載置台が回動台に連動して回動するため、結束作業者が動き回ることなく、結束用具を回動させてスムーズに結束作業ができるという利点がある。
【考案を実施するための最良の形態】
【０００９】
　以下、本発明を実施するための最良の形態を図面に示す実施例に基づいて説明する。図１は、本考案に係る新聞、雑誌類の結束用具の一実施例を示す斜視図である。図２は、図１の正面図である。図３は、図２の回動手段の連結方法を示す要部分解図である。図４は、図１の結束用具を用いて古新聞を結束した状態を示す説明図である。
【００１０】
　図１、図２に示すように、本発明に係る新聞、雑誌類の結束用具は、方形板状の基台２の上面に回動手段４が連結され、さらに回動手段４の上面に方形板状の回動台３が連結され、回動台３の上面側辺上には、開口部５ａを有する側板５が立設され、側板５の上端には、十文字のスリット６ａが形成された略方形板状の載置台６が固着されている。
【００１１】
　基台２と回動台３は、回動手段４を介して回動自在となっており、基台２上に形成された回動停止溝４ｇにより、回動の途中で一旦停止することができる。また、回動台３上面側辺部に立設された側板５の開口部５ａは、下部には手が通過可能な間隙が形成され、この間隙が上方中央に向かうほど狭くなるように形成され、開口部５ａの上端は紐などの結束部材が通過可能な間隙に形成されており、結束の際に、開口部５ａを通過された紐等の結束部材が開口部５ａの側縁に案内されてスムーズに上方中央に移動できる。また、隣接する二つの側板５は回動台３上面の隅角部を囲むように連接されている。方形板状の載置台６は新聞や雑誌などが載置可能な大きさに形成されており、この載置台６に形成された十文字状のスリット６ａは、十文字の中心が載置台６の中心に位置し、スリット６ａの端部が、側板５の開口部５ａ上端部と連通するように形成されている。これにより、載置台６の上方に積重ねて載置された新聞や雑誌などを結束部材で結束する際に、偏ることなく新聞や雑誌などの中心部で簡単に十文字結束ができる。
【００１２】
　尚、基台２、回動台３、側板５、載置台６は、硬質の合成樹脂などで形成されている。また、回動台３と側板５とは一体に形成されているが、回動台３と側板５と載置台６とが、一体に形成されてもよい。また、側板５は、強度を補強するために形状を変更したり、補強材で連結されてもよい。また、回動台３の上面略中央部のスペースには、紐などの結束部材を載置する部分を設けることもできる。
【００１３】
　図３に示すように、回動手段４は、固定具４ａ、回動リング４ｂ、ボールベアリング４ｃ、ベアリング支持具４ｄからなる市販の回動手段である。固定具４ａは、中央部に形成されたネジ挿通孔４ｊの位置が、回動台３の中央部に形成されたネジ通過孔４ｋの位置に対応するように、４本の固定用ネジ４ｅで回動台３裏面の中央部に固定用ネジ孔４ｈを介して固定される。固定具４ａが取り付けられた回動台３は、固定具４ａが回動リング４ｂに冠着されるようにして基台２に載置され、その後、回動台３の上面側からネジ通過孔４ｋ及び固定具４ａのネジ挿通孔４ｊを介して、基台２の中央部の連結用ネジ孔４ｉに、連結用ネジ４ｆを螺装して連結される。ここで、基台２、回動リング４ｂ、固定具４ａ、回動台３は、それぞれの中心が略一致するように配置されている。
【００１４】
　板リング状の回動リング４ｂのリング下面の十文字方向の対称な４箇所に、ベアリング支持具４ｄが形成され、このベアリング支持具４ｄには、鋼球のボールベアリング４ｃが内包されており、このボールベアリング４ｃは、ベアリング支持具４ｄ内で転動自在である。ボールベアリング４ｃの上部は、回動リング４ｂよりわずか上方に突出可能であり、また、ボールベアリング４ｃの下部は、ベアリング支持具４ｄの下端からわずかに突出可能であり、これにより、回動手段４に連結された基台２と回動台３が回動自在となる。また、基台２には、略十文字方向にボールベアリング４ｃの下部が嵌装可能な回動停止溝４ｇが形成されており、回動手段４に連結された回動台３が回動する途中でボールベアリング４ｃが回動停止溝４ｇに嵌装すると、その位置で回動が一旦停止する。回動する方向に一定以上の力を加えると、回動台３は再び回動する。このように構成されたので、結束作業の際に、新聞（古新聞）や雑誌（古雑誌）を載置した載置台６も回動台３に連動して、所定の位置で一旦停止しながら回動し、結束作業者が動き回ることなく、結束用具１を回動させてスムーズに結束作業が可能となる。
【００１５】
　また、回動停止溝４ｇは、十文字方向に４箇所形成されており、この回動停止溝４ｇに下部の一部が嵌装可能なボールベアリング４ｃが、回動リング４ｂに十文字方向に４箇所配設されているため、回動手段４は、９０度回動する度に一旦停止することになる。この停止位置を予め、図４に示すように、基台２の長手方向と回動台３の長手方向とが略平行になるように設定しておけば、回動台３を回動させて次に停止するのは、回動台３の長手方向と基台２の長手方向とが略直角になる位置である。このように設定することで、結束作業がさらに容易になる。尚、回動停止溝４ｇの数を増やせば、任意の位置で一旦停止が可能である。また、回動停止溝４ｇの代わりに、ボールベアリング４ｃの下部の一部が嵌装可能な穴を形成しても効果は同じである。
【００１６】
　図４に示すように、載置台６に載置された古新聞８は、側板５の開口部５ａ、載置台６の十文字状のスリット６ａを利用して、載置台６を９０度毎に一旦停止させながら回動させることによって、結束部材７で簡単に十文字に結束ができる。
【図面の簡単な説明】
【００１７】
【図１】本考案に係る新聞、雑誌類の結束用具の一実施例を示す斜視図である。
【図２】図１の正面図である。
【図３】図２の回動手段の連結方法を示す要部分解図である。
【図４】図１の結束用具を用い古新聞を結束した状態を示す説明図である。
【符号の説明】
【００１８】
　１　　新聞、雑誌類の結束用具
　２　　基台
　３　　回動台
　４　　回動手段
　４ａ　固定具
　４ｂ　回動リング
　４ｃ　ボールベアリング
　４ｄ　ベアリング支持具
　４ｅ　固定用ネジ
　４ｆ　連結用ネジ
　４ｇ　回動停止溝
　４ｈ　固定用ネジ孔
　４ｉ　連結用ネジ孔
　４ｊ　ネジ挿通孔
　４ｋ　ネジ通過孔
　５　　側板
　５ａ　開口部
　６　　載置台
　６ａ　十文字スリット
　７　　結束部材
　８　　古新聞
【図１】
0003100038.tif 000003
【図２】
0003100038.tif 000004
【図３】
0003100038.tif 000005
【図４】
0003100038.tif 000006